(57)【要約】【課題】  異なるコンテンツを視聴するユーザを妨害することなく、コンテンツの表示属性を変更するためのＯＳＤ情報を表示する。【解決手段】  ディスプレイ装置および方法が開示される。本発明に係るディスプレイ装置は、異なる複数のコンテンツを各々受信する複数の受信部と、複数の受信部で受信されたコンテンツを各々処理して複数のコンテンツビューを構成する信号処理部と、信号処理部で構成された各コンテンツビューをディスプレイする出力部と、オンスクリーンディスプレイ（ＯＳＤ）表示命令を入力されるための入力部と、ＯＳＤ表示命令が入力されると、複数のコンテンツビューのうち、ＯＳＤ情報を表示するコンテンツビューを決定する制御部と、決定されたコンテンツビューに表示されるＯＳＤ情報を生成して出力部に提供するＯＳＤ処理部とを含むディスプレイ装置。それにより、複数のユーザのコンテンツ視聴に妨害を与えなくなる。【選択図】  図２
2013140355.tif 000002
【特許請求の範囲】
【請求項１】
第１メガネ装置を着用した第１ユーザおよび第２メガネ装置を着用した第２ユーザが異なるビデオコンテンツを同時視聴するデュアルビューモードで動作可能なディスプレイ装置において、
第１ビデオコンテンツおよび第２ビデオコンテンツを含む複数の異なるコンテンツを受信可能な複数の受信部と、
第１ビデオコンテンツおよび第２ビデオコンテンツを処理する信号処理部と、
第１ビデオコンテンツに対応する第１ビューと第２ビデオコンテンツに対応する第２ビューとをディスプレイするディスプレイパネルを含む出力部と、
オンスクリーンディスプレイ（ＯＳＤ）表示命令が受信されると、前記第１および第２ビューのうち、ＯＳＤ情報を表示するビューを決定し、決定されたビューに前記ＯＳＤ情報を表示して、他のビューには前記ＯＳＤ情報を非表示にするように前記出力部を制御する制御部と、
を含み、
前記第１ビューに対応するイメージが前記第１メガネ装置によって視聴可能であり、前記第２ビューに対応するイメージが前記第２メガネ装置によって視聴可能になるように、前記ＯＳＤ情報が表示されるビューおよび前記ＯＳＤ情報が非表示のビューが前記ディスプレイパネル上に表示されるディスプレイ装置。
【請求項２】
前記第１メガネ装置および前記第２メガネ装置は、アクティブシャッタグラスを含み、
前記第１ビューに対応するフレームは前記第１メガネ装置によって視聴可能であり、前記第２ビューに対応するフレームは前記第２メガネ装置によって視聴可能になるように、前記第１ビューおよび前記第２ビューは、前記ディスプレイパネル上でフレームバイフレーム方式で交互にディスプレイされることを特徴とする請求項１にディスプレイ装置。
【請求項３】
前記第１ビューおよび前記第２ビューのディスプレイタイミングに応じて、前記第１および第２メガネ装置を同期化させるための同期化信号を生成する同期化信号生成部と、
前記第１および第２メガネ装置に前記同期化信号を伝送するインターフェース部と
を更に含むことを特徴とする請求項２に記載のディスプレイ装置。
【請求項４】
前記第１メガネ装置は、前記第１ビューに対応するフレームがディスプレイされると同時にシャッタグラスがオープンされ、前記第２ビューに対応するフレームがディスプレイされると同時にシャッタグラスがクローズされるように、前記同期化信号に応じて駆動され、
前記第２メガネ装置は、前記第２ビューに対応するフレームがディスプレイされると同時にシャッタグラスがオープンされ、前記第１ビューに対応するフレームがディスプレイされると同時にシャッタグラスがクローズされるように、前記同期化信号に応じて駆動されることを特徴とする請求項３に記載のディスプレイ装置。
【請求項５】
前記第１および第２ビューの各々に対応する複数の入力装置に対する情報が保存された保存部を更に含み、
前記制御部は、
前記複数の入力装置のうちの一つから前記ＯＳＤ表示命令が入力されると、前記ＯＳＤ表示命令を伝送した入力装置を判断し、前記入力装置に対応するビューに前記ＯＳＤ情報を表示するように、前記ＯＳＤ処理部を制御することを特徴とする請求項１ないし４いずれか一項に記載のディスプレイ装置。
【請求項６】
前記入力装置は、
リモコンを含むことを特徴とする請求項５に記載のディスプレイ装置。
【請求項７】
前記ＯＳＤ表示命令は、前記第１メガネ装置または前記第２メガネ装置によって入力可能であり、
前記ＯＳＤ情報は、前記ＯＳＤ表示命令を伝送したメガネ装置に対応するビューに表示されることを特徴とする請求項１ないし６いずれか一項に記載のディスプレイ装置。
【請求項８】
前記決定されたビューに表示されるＯＳＤ情報を生成し、生成されたＯＳＤ情報を前記出力部に提供するＯＳＤ処理部を更に含み、
前記制御部は、
リモコンから入力されるリモコン信号に応じて複数のコンテンツの中から制御対象を選択し、
一つのビューが前記制御対象に選択された状態で、前記リモコンから制御信号が入力されると、前記制御信号に応じて前記制御対象のビューを処理し、
前記ＯＳＤ表示命令が入力される時点で、前記制御対象に判断されたビューに前記ＯＳＤ情報を表示するように、前記ＯＳＤ処理部を制御することを特徴とする請求項１ないし７いずれか一項に記載のディスプレイ装置。
【請求項９】
前記決定されたビューに表示されるＯＳＤ情報を生成し、生成されたＯＳＤ情報を前記出力部に提供するＯＳＤ処理部を更に含み、
前記制御部は、
前記複数のコンテンツビューのうち何れか一つである第１コンテンツビューに前記ＯＳＤ情報が表示された状態で、前記複数のコンテンツビューのうち他の一つである第２コンテンツビューに対するＯＳＤ表示命令が入力されると、前記第１コンテンツビューに表示された前記ＯＳＤ情報を削除し、前記第２コンテンツビューに前記ＯＳＤ情報を表示するように、前記ＯＳＤ処理部を制御することを特徴とする請求項１ないし８いずれか一項に記載のディスプレイ装置。
【請求項１０】
前記ＯＳＤ情報は、
コンテンツ表示属性を変更するための少なくとも一つのＯＳＤメニューを含み、
前記制御部は、
前記少なくとも一つのＯＳＤメニューでユーザ設定値が変更されると、変更されたユーザ設定値に応じて、前記ＯＳＤ情報が表示されたコンテンツビューの表示属性を変更するように、前記信号処理部を制御することを特徴とする請求項１ないし９の何れか一項に記載のディスプレイ装置。
【請求項１１】
前記出力部は、
前記複数のコンテンツビューを映像フレーム単位で組み合わせてディスプレイすることを特徴とする請求項１ないし１０いずれか一項に記載のディスプレイ装置。
【請求項１２】
前記第１および第２メガネ装置はパッシブグラスを含み、
前記第１ビューを表現するためのピクセルラインが、第１方向に同様に偏光された一対のレンズを含む第１パッシブメガネ装置を通じて視聴可能であり、前記第２ビューを表現するためのピクセルラインが、第１方向とは異なる第２方向に同様に偏光された一対のレンズを含む第２パッシブメガネ装置を通じて視聴可能になるように、前記第１および第２ビューが同一フレーム上にインタレーシングされることを特徴とする請求項１ないし１１いずれか一項に記載のディスプレイ装置。
【請求項１３】
前記第１および第２ビューの各々に対応する複数の入力装置に対する情報が保存された保存部を更に含み、
前記複数の入力装置のうちの一つから前記ＯＳＤ表示命令が入力されると、前記ＯＳＤ表示命令を伝送した入力装置が判断され、前記入力装置に対応するビューに前記ＯＳＤ情報が表示されることを特徴とする請求項１２に記載のディスプレイ装置。
【請求項１４】
前記入力装置は、
リモコンを含むことを特徴とする請求項１３に記載のディスプレイ装置。
【請求項１５】
前記ＯＳＤ表示命令は、前記第１および第２メガネ装置により入力され、
前記ＯＳＤ情報は、前記ＯＳＤ表示命令を伝送するメガネ装置に対応するビューに表示されることを特徴とする請求項１３に記載のディスプレイ装置。
【発明の詳細な説明】
【技術分野】
【０００１】
本発明は、ディスプレイ装置および方法に関し、より詳細には、複数のユーザに異なるコンテンツを提供するディスプレイ装置および方法に関する。
【背景技術】
【０００２】
電子技術の発達により、多様な電子製品が開発および普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化しており、従来にはない新たな機能を備えた製品が登場しつつある。
【０００４】
なお、最近では、複数のコンテンツを同時に提供して複数のユーザが異なるコンテンツを視聴することができるディスプレイ装置に対する開発への取り組みが行われている。このようなディスプレイ装置の場合、ユーザが現在視聴しているコンテンツの表示属性を変更するためにＯＳＤ情報を要求する場合、別のユーザが視聴しているコンテンツにもＯＳＤ情報が同時にディスプレイされることにより、更に別のユーザの視聴を妨害するという問題があった。
【先行技術文献】
【特許文献】
【０００５】
【特許文献１】日本特開第２００７−０１１４６０１号公報
【特許文献２】韓国特開第２０１１−０１０７６６７号公報
【特許文献３】米国特開第２０１０−０２０８０４０号公報
【特許文献４】日本特開第２０１０−０２６８０４８号公報
【特許文献５】韓国特開第２００９−０００８７０８号公報
【発明の概要】
【発明が解決しようとする課題】
【０００６】
そこで、本発明は、上記問題に鑑みてなされたものであり、本発明の目的とするところは、異なるコンテンツを視聴するユーザを妨害することなく、コンテンツの表示属性を変更するためのＯＳＤ情報を表示することにある。
【課題を解決するための手段】
【０００７】
以上のような目的を達成するための本発明の一実施形態に係るディスプレイ装置は、異なる複数のコンテンツを各々受信する複数の受信部と、前記複数の受信部で受信されたコンテンツを各々処理して映像フレームを構成する信号処理部と、前記信号処理部で構成された各コンテンツの映像フレームを組み合わせてディスプレイする出力部と、オンスクリーンディスプレイ（ＯＳＤ）表示命令を入力されるための入力部と、前記ＯＳＤ表示命令が入力されると、前記複数のコンテンツのうち、前記ＯＳＤ表示命令に対応する一つのコンテンツにＯＳＤ情報を表示するように、前記信号処理部および前記出力部を制御する制御部とを含む。
【０００８】
そして、複数の入力装置に対する情報が保存された保存部を更に含み、前記制御部は、前記複数の入力装置のうちの一つから前記ＯＳＤ表示命令が入力されると、前記保存部に保存された情報を用いて前記複数のコンテンツのうち、ＯＳＤ表示命令を伝送した入力装置に対応するコンテンツに前記ＯＳＤ情報を表示するように、前記信号処理部および前記出力部を制御する制御部とを含む。
【０００９】
なお、前記制御部は、前記複数の入力装置のうちの第１入力装置から前記ＯＳＤ表示命令が入力されると、前記複数のコンテンツのうち、前記第１入力装置と対応する第１コンテンツに前記ＯＳＤ情報を表示し、前記複数の入力装置のうちの第２入力装置から前記ＯＳＤ表示命令が入力されると、前記複数のコンテンツのうち、前記第２入力装置と対応する第２コンテンツに前記ＯＳＤ情報を表示するように、前記信号処理部および前記出力部を制御してよい。
【００１０】
そして、前記制御部は、入力装置から前記ＯＳＤ表示命令が入力されると、前記入力されたＯＳＤ表示命令に基づいて、前記複数のコンテンツのうち少なくとも一つのコンテンツに前記ＯＳＤ情報を表示するように、前記信号処理部および前記出力部を制御してよい。
【００１１】
なお、前記ＯＳＤ情報は、コンテンツ表示属性を変更するための少なくとも一つのＯＳＤメニューを含み、前記制御部は、前記少なくとも一つのＯＳＤメニューでユーザ設定値が変更されると、変更されたユーザ設定値に応じて、前記ＯＳＤ情報が表示されたコンテンツの表示属性を変更するように、前記信号処理部および前記出力部を制御してよい。
【００１２】
そして、前記出力部は、前記複数のコンテンツを映像フレーム単位で組み合わせられるように配置してディスプレイしてよい。
【００１３】
なお。前記入力装置は、リモコンおよびメガネ装置のうち少なくとも一つであってよい。
【００１４】
そして、前記複数のコンテンツのディスプレイタイミングに応じて、前記各コンテンツに対応するメガネ装置を同期化させる同期化信号を生成する同期化信号生成部と、前記同期化信号を前記メガネ装置に伝送するインターフェース部を更に含んでよい。
【００１５】
一方、本発明の一実施形態に係るディスプレイ方法は、異なる複数のコンテンツを各々受信するステップと、前記受信されたコンテンツを各々処理して映像フレームを構成するステップと、前記構成された各コンテンツの映像フレームを組み合わせてディスプレイするステップと、オンスクリーンディスプレイ（ＯＳＤ）表示命令を入力されるステップと、前記ＯＳＤ表示命令が入力されると、前記複数のコンテンツのうち、前記ＯＳＤ表示命令に対応する一つのコンテンツにＯＳＤ情報を表示するステップとを含む。
【００１６】
そして、前記表示するステップは、複数の入力装置のうちの一つから前記ＯＳＤ表示命令が入力されると、保存された複数の入力装置に対する情報を用いて、前記複数のコンテンツのうち、ＯＳＤ表示命令を伝送した入力装置に対応するコンテンツに前記ＯＳＤ情報を表示してよい。
【００１７】
なお、前記表示するステップは、前記複数の入力装置のうちの第１入力装置から前記ＯＳＤ表示命令が入力されると、前記複数のコンテンツのうち、前記第１入力装置と対応する第１コンテンツに前記ＯＳＤ情報を表示し、前記複数の入力装置のうちの第２入力装置から前記ＯＳＤ表示命令が入力されると、前記複数のコンテンツのうち、前記第２入力装置と対応する第２コンテンツに前記ＯＳＤ情報を表示してよい。
【００１８】
そして、前記表示するステップは、入力装置から前記ＯＳＤ表示命令が入力されると、前記入力されたＯＳＤ表示命令に基づいて、前記複数のコンテンツのうち少なくとも一つのコンテンツに前記ＯＳＤ情報を表示してよい。
【００１９】
なお、前記ＯＳＤ情報は、コンテンツ表示属性を変更するための少なくとも一つのＯＳＤメニューを含み、前記少なくとも一つのＯＳＤメニューでユーザ設定値が変更されると、変更されたユーザ設定値に応じて、前記ＯＳＤ情報が表示されたコンテンツの表示属性を変更してディスプレイするステップを更に含んでよい。
【００２０】
そして、前記ディスプレイするステップは、前記複数のコンテンツを映像フレーム単位で組み合わせられるように配置してディスプレイしてよい。
【００２１】
なお。前記入力装置は、リモコンおよびメガネ装置のうち少なくとも一つであってよい。
【００２２】
そして、前記複数のコンテンツのディスプレイタイミングに応じて、前記各コンテンツに対応するメガネ装置を同期化させる同期化信号を生成するステップと、前記同期化信号を前記メガネ装置に伝送するステップとを更に含んでよい。
【発明の効果】
【００２３】
以上説明したように、本発明によれば、ディスプレイ装置は複数のコンテンツを組み合わせてディスプレイしている途中に、特定コンテンツにのみコンテンツの表示属性を変更するためのＯＳＤ情報を表示してディスプレイすることにより、複数のユーザのコンテンツ視聴を妨害しなくなる。
【図面の簡単な説明】
【００２４】
【図１】本発明の一実施形態に係る複数のユーザに複数のコンテンツを提供するシステムを示す例示図である。
【図２】本発明の一実施形態に係るディスプレイ装置のブロック図である。
【図３】本発明の一実施形態に係るディスプレイ装置で複数のコンテンツの映像フレームを構成する信号処理部のブロック図である。
【図４】ディスプレイ装置の別の構成を示すブロック図である。
【図５】本発明の一実施形態に係るメガネ装置のブロック図である。
【図６】本発明の一実施形態に係るディスプレイ装置で複数のコンテンツおよびＯＳＤ情報をディスプレイする方法のフローチャートである。
【発明を実施するための形態】
【００２５】
以下に添付図面を参照しながら、本発明の好適な実施形態について詳細に説明する。
【００２６】
図１は、本発明の一実施形態に係る複数のユーザに複数のコンテンツを提供するシステムを示す例示図である。
【００２７】
図１に示すように、本システムは、ディスプレイ装置１００とメガネ装置２００とを含む。
【００２８】
ディスプレイ装置１００は、複数のコンテンツを処理して複数のコンテンツビューをディスプレイし、各コンテンツビューのディスプレイタイミングに対応する同期化信号をメガネ装置２００に伝送する。図１においては、４つのコンテンツを各々処理して４つのコンテンツビューを生成するディスプレイシステムを例示している。図１のように、複数のコンテンツビューを提供する機能をマルチビュー機能と称する。システム仕様に応じて、コンテンツビューの数は２つに限定されてよく、２つないしｎ（ｎは自然数）のように、より多く提供されてよい。２つのコンテンツビューを提供するモードをデュアルビューモードとすると、３つのコンテンツビューを提供するモードはトリプルビューモード、４つのコンテンツビューを提供するモードはクワドループル（ｑｕａｄｒｕｐｌｅ）ビューモード等のように称してよい。このようなモードをまとめてマルチビューモードという。図１においては、クワドループルビューモードで動作するシステムを示している。
【００２９】
各メガネ装置２００−１、２００−２は、同期化信号に応じてシャッタグラスのオープンタイミングを制御する。即ち、メガネ装置２００−１、２００−２は対応するコンテンツビューがディスプレイされる時間の間、シャッタグラスをオープンし、複数のコンテンツのうちの一つのコンテンツをユーザに視聴できるようにすることができる。
【００３０】
図１では、第１メガネ装置２００−１がコンテンツビュー３にマッチしている状態を示す。この場合、第１メガネ装置２００−１はディスプレイ装置１００から受信される同期化信号に応じて、交互にディスプレイされるコンテンツビューのうち、コンテンツビュー３がディスプレイされる時点でシャッタグラスをオープンすることができる。
【００３１】
このように、第１メガネ装置２００−１は、コンテンツビュー３がディスプレイされる時点でシャッタグラスをオープンさせることにより、第１メガネ装置２００−１を着用しているユーザは、当該メガネ装置２００−１を介してディスプレイ装置１００でディスプレイされる複数のコンテンツのうちのコンテンツ３に対して視聴することができる。
【００３２】
一方、第２メガネ装置２００−２は、ディスプレイ装置１００から受信される同期化信号に応じて、交互にディスプレイされるコンテンツビューのうちのコンテンツビュー２がディスプレイされる時点でシャッタグラスをオープンすることができる。
【００３３】
従って、コンテンツビュー２がディスプレイされる時点でシャッタグラスをオープンさせる第２メガネ装置２００−２を着用しているユーザは、当該メガネ装置２００−２を介してディスプレイ装置１００でディスプレイされる複数のコンテンツビューのうちのコンテンツビュー２に対して視聴することができる。
【００３４】
各メガネ装置２００−１、２００−２を着用しているユーザは、メガネ装置に設けられたボタンや、リモコン、その他の多様な入力手段を用いて、所望のコンテンツビューを選択することができる。仮に、メガネ装置に設けられたボタンを利用する場合、各メガネ装置２００−１、２００−２はボタンが選択される度に、コンテンツビュー１、２、３、４を順次に選択し、そのコンテンツビューに同期化される。または、メガネ装置に全コンテンツビューの数に対応する数だけのボタンが設けられる場合には、特定ボタンを押してそのボタンに対応するコンテンツビューに即座に同期化されるように実現することもできる。
【００３５】
一方、各メガネ装置２００−１、２００−２を介して複数のコンテンツのうちの一つのコンテンツを視聴するユーザは、自らの着用しているメガネ装置２００−１、２００−２に備えられた入力ボタン或いはリモコンのような入力機器を通じてオンスクリーンディスプレイ（以下、ＯＳＤ）表示命令を要求することができる。このようなＯＳＤ表示命令が入力されると、ディスプレイ装置１００はディスプレイされる複数のコンテンツビューのうち、入力されたＯＳＤ表示命令に対応するコンテンツビューにＯＳＤ情報を追加して当該コンテンツの映像フレームとともにＯＳＤ情報をディスプレイする。ＯＳＤ表示命令の種類は多様に定義されてよく、ＯＳＤ表示命令に対応するコンテンツビューも実施形態により、多様な方式で決定されてよい。このような実施形態に対しては、詳しく後述する。
【００３６】
図示のように、第２メガネ装置２００−２を着用しているユーザは、ディスプレイ装置１００から提供する複数のコンテンツビューのうち、コンテンツビュー２を視聴することができる。このように、コンテンツビュー２を視聴している状態で、ユーザは自らの着用している第２メガネ装置２００−２或いはリモコンを通じてＯＳＤ表示命令を要求することができる。このようなＯＳＤ表示命令が入力されると、ディスプレイ装置１００は入力されたＯＳＤ表示命令を分析してコンテンツビュー２に対してＯＳＤ情報表示を要求したと確認する。その後、ディスプレイ装置１００は、交互にディスプレイされる複数のコンテンツのうち、ディスプレイされるコンテンツ２の映像フレーム、即ち、コンテンツビュー２にユーザが要求したＯＳＤ情報１２１を追加してディスプレイする。
【００３７】
それにより、第２メガネ装置２００−２を着用しているユーザはコンテンツビュー２を視聴しながら、当該コンテンツビュー２に追加されたＯＳＤ情報を見ることができる。一方、他のコンテンツビューに同期化される一番目のメガネ装置２００−１を着用しているユーザはＯＳＤ情報を見ることができない。従って、二番目のメガネ装置２００−２を着用しているユーザがＯＳＤ情報を確認しようとした場合、一番目のメガネ装置２００−１を着用しているユーザはＯＳＤ情報による視聴の妨害を受けなくなる。
【００３８】
これまで、複数のコンテンツを提供するディスプレイ装置１００およびディスプレイ装置１００から提供される複数のコンテンツを視聴するためのメガネ装置２００−１、２００−２を含むシステムについて簡略に説明してきた。
【００３９】
以下では、上述のディスプレイ装置１００およびメガネ装置２００−１、２００−２の各構成に対して詳細に説明する。
【００４０】
図２は、本発明の一実施形態に係るディスプレイ装置のブロック図である。
【００４１】
図２に示すように、ディスプレイ装置は、受信部１１０と、信号処理部１２０と、出力部１３０と、同期化信号生成部１４０と、インターフェース部１５０と、入力部１６０と、制御部１７０および保存部１８０を含む。
【００４２】
受信部１１０は、複数で構成されており、このような複数の受信部１１０−１、１１０−２、…、１１０−ｎを介して、異なる複数のコンテンツを受信することができる。実施形態により、複数の受信部１１０−１、１１０−２、…、１１０−ｎは、互いに異なる構成要素で実現されてよい。具体的に、各受信部１１０−１、１１０−２、…、１１０−ｎは放送ネットワークを用いて放送番組コンテンツを伝送する放送局またはインターネットを用いてコンテンツファイルを伝送するウェブサーバからコンテンツを受信する。なお、一部受信部は、ディスプレイ装置内に設けられるか、ディスプレイ装置に接続された各種記録媒体再生装置からコンテンツを受信してよい。記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【００４３】
放送局からコンテンツを受信する受信部の場合、チューナ（図示せず）と、復調器（図示せず）、等化器（図示せず）等のような構成を含む形態で実現可能である。そして、ウェブサーバのようなソース装置或いはＤＶＤ、ＰＣのような外部機器からコンテンツを受信する受信部の場合、ＳＣＡＲＴ、ＡＶ、ＨＤＭＩ、ＣＯＭＰＯＮＥＮＴ、ＵＳＢインターフェース等のような多様なインターフェースを通じてコンテンツを受信することができる。
【００４４】
信号処理部１２０は、複数の受信部１１０−１、１１０−２、…、１１０−ｎから受信された異なるコンテンツを各々処理して各コンテンツの映像フレームを用いて複数のコンテンツビューを構成する。このような信号処理部１２０は、複数の受信部１１０−１、１１０−２、…、１１０−ｎと対応して複数で構成され、各々の受信部１１０−１、１１０−２、…、１１０−ｎから受信されるコンテンツを処理して映像フレームを構成することができる。しかし、本発明はそれに限定されるわけではなく、信号処理部１２０は単一個で構成されて各々の受信部１１０−１、１１０−２、…、１１０−ｎから受信される異なるコンテンツを処理して各々のコンテンツに対する映像フレームを構成することができる。図２においては、一つの信号処理部１２０が使用された実施形態を示している。このような信号処理部１２０の動作は、図３を通じて詳細に説明する。
【００４５】
図３は、本発明の一実施形態に係るディスプレイ装置で複数のコンテンツの映像フレームを構成する信号処理部のブロック図である。
【００４６】
図３に示すように、信号処理部１２０は、デマルチプレクサ１２１と、ビデオ処理部１２２と、フレームレート変換部１２３およびオーディオ処理部１２４を含む。
【００４７】
デマルチプレクサ１２１は、受信されたコンテンツからビデオ、オーディオデータおよび付加データを分離する。
【００４８】
ビデオ処理部１２２は、デマルチプレクサ１２１から分離された当該コンテンツのビデオデータに対する信号処理を行う。一つの信号処理部１２０が使用される実施形態では、デマルチプレクサ１２０は複数の受信部から受信される各コンテンツを順次にマルチプレキシングし、ビデオ処理部１２２は各コンテンツに含まれたビデオデータに対する信号処理を順次に行う。一方、上述のように、複数の受信部に対応する複数の信号処理部が設けられた場合には、各信号処理部は対応する受信部において受信されたコンテンツを各々処理することもできる。
【００４９】
具体的に、ビデオ処理部１２２は、ビデオデータに対するデコードを行うデコーダ（図示せず）、出力部１３０の画面サイズに合わせてアップまたはダウンスケーリングするスケーラー（図示せず）を含んでよい。ビデオ処理部１２２はフレームレート変換部１２３に対応するデータフォーマットでビデオデータを変換することができる。具体的に、入力されたビデオデータがトップツーボトム（Ｔｏｐ−ｔｏ−Ｂｏｔｔｏｍ）フォーマットである一方で、フレームレート変換部１２３でサイドバイサイド（Ｓｉｄｅ−ｂｙ−Ｓｉｄｅ）フォーマットでフレームを処理する場合、ビデオ処理部１２２は各コンテンツの映像フレームを横方向に並んで接続してサイドバイサイドフォーマットに変換することができる。なお、ビデオ処理部１２２には、ＯＳＤ処理部が含まれてよい。ＯＳＤ処理部とスケーラーは、ワンチップで実現されてよい。それにより、スケーラーでは、デコードされたデータを用いて映像フレームを作った後に、ＯＳＤ処理部によって生成されたＯＳＤ情報を映像フレームに付加することができる。
【００５０】
フレームレート変換部１２３は、ビデオ処理部１２２から提供されるコンテンツのフレームレートをディスプレイ装置の出力レートを参照してマルチコンテンツディスプレイレートに合わせて変換する。具体的に、ディスプレイ装置が６０Ｈｚで動作する場合、デュアルビューモードでは、フレームレート変換部１２２は各コンテンツのフレームレートを１２０Ｈｚに変換することができる。
【００５１】
オーディオ処理部１２４は、デマルチプレクサ１２１から分離されたコンテンツのオーディオデータに対する信号処理を行う。オーディオ処理部１２４は、デマルチプレクサ１２１から分離されたコンテンツのオーディオデータをデコードするオーディオデコーダ（図示せず）、デコードされたオーディオデータを異なる周波数信号に変調する変調部（図示せず）を含む。
【００５２】
上述のように、複数の信号処理部が設けられる実施形態では、一番目の信号処理部は受信部１１０−１を介して第１コンテンツを受信し、二番目の信号処理部は受信部１１０−２を介して第２コンテンツを受信することができる。この場合、各信号処理部内のオーディオ処理部１２４はデマルチプレクサ１２１から分離された第１コンテンツおよび第２コンテンツに対するオーディオデータの各々を異なる周波数信号に変調する。このように、異なる周波数信号に変調されると、出力部１３０は変調された各々のオーディオデータをメガネ装置に伝送することができる。従って、ユーザは自らの着用しているメガネ装置に備えられたイヤホンのような出力手段を通じて当該コンテンツに関連するオーディオを聴取することができる。このようなオーディオ処理部１２４の細部構成は、本発明と直接的な関連性がないため、別途の図示および細部構成に対する詳細な説明は省略する。
【００５３】
なお、信号処理部１２０は、付加データ処理部１２５を含む。場合によって、コンテンツにＥＰＧ（Ｅｌｅｃｔｒｏｎｉｃ  Ｐｒｏｇｒａｍ  Ｇｕｉｄｅ）および字幕のような付加データが含まれてよい。この場合、信号処理部１２０のデマルチプレクサ１２１はコンテンツから付加データを追加で分離する。付加データが分離されると、付加データ処理部１２５はデマルチプレクサ１２１から分離された付加データを対応する映像フレームに付加することができる。
【００５４】
出力部１３０は、ディスプレイパネル（図示せず）、スピーカ（図示せず）、ＲＦ通信モジュール等を含む。ディスプレイパネルはビデオ処理部１２２およびフレームレート変換部１２３で処理されたビデオフレームをディスプレイする。具体的に、出力部１３０は、信号処理部１２０のフレームレート変換部１２３を介して出力される各々のコンテンツを組み合わせてマルチコンテンツフレームを構成する。より具体的に、出力部１３０は、信号処理部１２０のフレームレート変換部１２３から提供される各コンテンツの映像フレームが少なくとも一つずつ交互に配置されるようにマルチプレキシングを行う。その後、出力部１３０はマルチプレキシングされたデータを画面サイズに合わせてアップスケーリングしてマルチコンテンツフレーム、即ち、複数のコンテンツビューを構成した後、ディスプレイを行う。ここで、マルチコンテンツフレームとは、複数のユーザが複数のコンテンツを各々視聴することができるように構成されたフレームデータを意味する。このようなマルチコンテンツフレームを構成する方法は、ディスプレイ装置の駆動方式に応じて多様に実現されることが望ましい。
【００５５】
例えば、シャッタグラス方式のディスプレイ装置の場合、出力部１３０は第１コンテンツの映像フレームと第２コンテンツの映像フレームとが少なくとも一つずつ交互に配置してマルチコンテンツフレームを構成し、それをディスプレイする。一方、ユーザは、出力部１３０のディスプレイタイミングで連動するメガネ装置を着用し、第１および第２コンテンツのうち、自分が望むコンテンツを視聴するようになる。具体的に、メガネ装置は左眼シャッタグラスおよび右眼シャッタグラスが備えられる。左眼シャッタグラスおよび右眼シャッタグラスは、３Ｄコンテンツを視聴する時は、交互にオン／オフされるが、上述のように、各映像フレームが少なくとも一つずつ交互に配置されたフレームを視聴する際は、メガネ装置と同期化されたコンテンツの出力タイミングに応じて一括してオン／オフされる。それにより、ユーザは他ユーザと別個にコンテンツを視聴することができる。
【００５６】
一方、上述のコンテンツは、２Ｄコンテンツ或いは３コンテンツであってよい。３Ｄコンテンツは、同一の客体を互いに異なる観点から表現した他時点映像を用いてユーザが立体感を感じることができるようにするコンテンツを意味する。このような複数の３Ｄコンテンツを受信する場合、出力部１３０は上述の信号処理部１２１のフレームレート変換部１２３から提供される各３Ｄコンテンツに含まれた左眼映像および右眼映像を予め設定された配置形態でマルチプレキシングを行い、他コンテンツの映像フレームと交互に配置してよい。
【００５７】
例えば、第１コンテンツおよび第２コンテンツが３Ｄ映像関連コンテンツであり、第３コンテンツが２Ｄ映像関連コンテンツである場合、出力部１３０は信号処理部１２１のフレームレート変換部１２３を介して出力される映像フレーム順に応じて、第１コンテンツの左眼映像フレーム、右眼映像フレーム、第２コンテンツの左眼映像フレーム、右眼映像フレームおよび第３コンテンツの映像フレームを交互に配置してディスプレイすることができる。
【００５８】
出力部１３０内に含まれたスピーカは、オーディオ処理部１２４内のオーディオデコーダでデコードされたオーディオ信号を出力する。なお、ＲＦ通信モジュールは、オーディオ処理部１２４内のオーディオ変調部で変調された周波数信号を、ＲＦ通信方式によってブロードキャストする。スピーカおよびＲＦ通信モジュールは、ディスプレイ装置１００の動作に応じて選択的に動作することができる。仮に、ディスプレイ装置１００が通常モードで動作する際、制御部１７０はスピーカを通じてオーディオ信号を出力し、上述のマルチビューモードで動作する際には、制御部１７０はＲＦ通信モジュールを用いて各コンテンツのオーディオ信号を出力するように制御することができる。ＲＦ信号の形態で出力されたオーディオ信号は、各メガネ装置２００−１、２００−２によって受信され、メガネ装置に設けられたイヤホンやスピーカのような音響出力手段を通じて出力される。メガネ装置は、同期化されたコンテンツビューに対応する周波数信号を選局し、ユーザがコンテンツビューとともに当該コンテンツビューに対応するコンテンツのオーディオ信号も聞けるようにする。
【００５９】
一方、同期化信号生成部１４０は、各コンテンツのディスプレイタイミングに応じて、各コンテンツに対応するメガネ装置を同期化させる同期化信号を生成する。即ち、同期化信号生成部１４０は、マルチビューモードで各コンテンツに対する映像フレームのディスプレイタイミングでメガネ装置を同期化させるための同期化信号を生成する。
【００６０】
インターフェース部１５０は、メガネ装置と通信を行う。具体的に、インターフェース部１５０は、同期化信号生成部１４０から生成された同期化信号をメガネ装置に伝送する。この場合、インターフェース部１５０は多様な方式で同期化信号をメガネ装置に伝送することができる。
【００６１】
一例として、インターフェース部１５０は、同期化信号生成部１４０から生成された同期化信号をブルートゥース通信規格による伝送パケットで生成してメガネ装置に伝送することができる。この場合、伝送パケットは複数のコンテンツのディスプレイタイミングで同期化されてメガネ装置の左眼および右眼シャッタグラスをオン／オフさせるための時間情報を含む。具体的に、伝送パケットに含まれる時間情報は、メガネ装置の左眼シャッタグラスをオンさせるオフセット時間（ｌｅｆｔ  ｓｈｕｔｔｅｒ  ｏｐｅｎ  ｏｆｆｓｅｔ）、左眼シャッタグラスをオフさせるオフセット時間（ｌｅｆｔ  ｓｈｕｔｔｅｒ  ｃｌｏｓｅ  ｏｆｆｓｅｔ）、右眼シャッタグラスをオンさせるオフセット時間（ｒｉｇｈｔ  ｓｈｕｔｔｅｒ  ｏｐｅｎ  ｏｆｆｓｅｔ）、右眼シャッタグラスをオフさせるオフセット時間（ｒｉｇｈｔ  ｓｈｕｔｔｅｒ  ｃｌｏｓｅ  ｏｆｆｓｅｔ）に対する情報を含んでよい。
【００６２】
オフセット時間は、コンテンツ毎に設定された基準時点から左眼および右眼シャッタグラスのオンまたはオフ時点までのディレイ（Ｄｅｌａｙ）情報である。即ち、メガネ装置は、基準時点からオフセット時間が経過すると、左眼および右眼シャッタグラスをオン／オフさせる。例えば、基準時点は映像フレームで垂直同期信号（即ち、フレームシンク）が発生する時点であってよい。このような基準時点に対する情報は、伝送パケットに含まれてよく、メガネ装置は受信された伝送パケットに含まれた基準時点に対する情報に基づいて左眼および右眼シャッタグラスをオン／オフさせるための垂直同期信号が発生する時点を設定することができる。
【００６３】
ブルートゥース通信を行うために、インターフェース部１５０は各メガネ装置とブルートゥースアドレス（Ｂｌｕｅｔｏｏｔｈ（登録商標）  Ｄｅｖｉｃｅ  Ａｄｄｒｅｓｓ）およびピンコード等を送受信してブルートゥース通信方式によるペアリング（Ｐａｉｒｉｎｇ）を行う。ペアリングが完了すると、インターフェース部１５０は各メガネ装置に対する情報、例えば、メガネ装置の識別情報等が登録されてよい。その後、インターフェース部１５０は、各コンテンツのディスプレイタイミングとメガネ装置に対する情報をマッチさせ、ペアリングを通じて獲得した識別情報に基づいて当該メガネ装置に伝送パケットを伝送することができる。
【００６４】
伝送パケットを受信したメガネ装置は、受信した伝送パケットに含まれた情報に基づいてディスプレイタイミングを確認し、確認されたディスプレイタイミングに応じて左眼および右眼シャッタグラスをオン／オフさせることができる。例えば、第１および第２コンテンツに対する映像フレーム、即ち、第１および第２コンテンツビューが交互にディスプレイされている状態で、インターフェース部１５０は同期化信号生成部１４０から生成された同期化信号をブルートゥース通信規格によって、第１メガネ装置および第２メガネ装置に伝送することができる。第１メガネ装置に伝送される同期化信号には、第１メガネ装置の左眼および右眼シャッタグラスが第１コンテンツのディスプレイタイミングでオンされるように動作させるための時間情報および基準時点に対する情報が含まれる。そして、第２メガネ装置に伝送パケットには第１メガネ装置の左眼および右眼シャッタグラスが第１コンテンツのディスプレイタイミングでオンされるように動作させるための時間情報および基準時点に対する情報が含まれる。
【００６５】
従って、第１メガネ装置は、受信した伝送パケットに含まれた情報に基づいて第１コンテンツの映像フレームがディスプレイされるディスプレイタイミングで左眼および右眼シャッタグラスをオンさせ、第２コンテンツの映像フレームがディスプレイされるディスプレイタイミングで左眼および右眼シャッタグラスをオフさせてよい。
【００６６】
一方、第２メガネ装置は、受信された伝送パケットに含まれた情報に基づいて、第２コンテンツの映像フレームがディスプレイされるディスプレイタイミングで左眼および右眼シャッタグラスをオンさせ、第１コンテンツの映像フレームがディスプレイされるディスプレイタイミングで左眼および右眼シャッタグラスをオフさせてよい。
【００６７】
従って、第１メガネ装置を着用しているユーザは、第１コンテンツを視聴することができ、第２メガネ装置を着用しているユーザは、第２コンテンツを視聴することができる。
【００６８】
別の実施形態によると、インターフェース部１５０はブルートゥース通信規格の他にも別の通信方式を用いてメガネ装置に同期化信号を伝送することができる。仮に、相違なる周波数を有するＩＲ（Ｉｎｆｒａ  Ｒｅｄ）同期化信号またはＲＦ（Ｒａｄｉｏ  Ｆｒｅｑｕｅｎｃｙ）同期化信号をメガネ装置に提供することができる。この場合、メガネ装置は特定周波数を有する同期化信号を受信し、対応するコンテンツのディスプレイタイミングに応じてシャッタグラスをオンまたはオフさせることができる。
【００６９】
この場合、インターフェース部１５０は、同期化信号に含まれた情報に基づいて予め設定された時間の間隔で、第１周期の間のハイレベル（Ｈｉｇｈ  Ｌｅｖｅｌ）と、第２周期の間のローレベル（Ｌｏｗ  Ｌｅｖｅｌ）とが交互に繰り返される赤外線信号をメガネ装置に伝送することができる。メガネ装置は、ハイレベルである第１周期の間にシャッタグラスをオンさせ、ローレベルである第２周期の間にシャッタグラスをオフさせるように実現されてよい。その他にも、同期化信号は多様な方式で生成されてよい。
【００７０】
上述の実施形態においては、インターフェース部１５０とメガネ装置がブルートゥース通信方式によって通信を行うか、ＩＲまたはＲＦ方式で通信を行うものとして説明を進めたが、それは一例に過ぎない。即ち、ブルートゥース通信以外に赤外線通信、Ｚｉｇｂｅｅ（登録商標）等の通信方式を利用することができ、その他の近距離から通信チャネルを形成して信号を送受信することができる多様な無線通信方式により通信行うことができる。
【００７１】
一方、入力部１６０は、外部の入力装置を通じてディスプレイ装置の動作全般を制御するためのＯＳＤ（Ｏｎ  Ｓｃｒｅｅｎ  Ｄｉｓｐｌａｙ）表示命令を受信する。ここで、入力装置は、リモコン或いはメガネ装置のうちの一つであってよい。入力部１６０は、ＩＲ信号受信部と、受光ダイオード、ＲＦ受信チップ等のような多様な形態で実現されてよい。
【００７２】
ＯＳＤ表示命令とは、ディスプレイ装置１００の動作を制御するためのＯＳＤメニューを表示させる命令か、ＯＳＤ形態で放送情報を表示させる命令だけでなく、音量調整、チャネル番号入力、チャネル調整、輝度やコントラストのようなディスプレイ属性調整等のように特定動作を行ううえで、付随的にＯＳＤ表示が伴う類型の命令をも含んでよい。従って、ＯＳＤ情報は、コンテンツをディスプレイする画面の大きさおよび輝度の最適化のための画面調整のＯＳＤメニュー、チャネル調整のＯＳＤメニュー、音量レベル表示のＯＳＤ、ＥＰＧ、機器動作設定のためのＯＳＤメニュー、チャネル番号、ディスプレイ属性調整程度を示すＯＳＤグラフ、日付、時間等のように多様な類型の客体を含んでよい。一方、ＯＳＤ表示命令がブルートゥース通信規格によって伝送される実施形態では、ＯＳＤ表示命令はインターフェース部１５０を介して受信されてよい。
【００７３】
このように、ＯＳＤ表示命令が入力部１６０を介して入力されると、制御部１７０は複数のコンテンツビューのうち、ＯＳＤ情報を表示するコンテンツ、即ち、ＯＳＤ表示命令に対応する一つのコンテンツビューを決定する。そして、決定されたコンテンツビューにＯＳＤ情報を追加して表示するように、信号処理部１２０および出力部１４０を制御する。ここで、ＯＳＤ情報は、受信される複数のコンテンツのうち、少なくとも一つのコンテンツの表示属性を変更するための少なくとも一つのＯＳＤメニューを含むことが望ましい。上述のように、ＯＳＤ情報は、コンテンツをディスプレイする画面の大きさおよび輝度の最適化のための画面調整のＯＳＤメニュー、チャネル調整のＯＳＤメニュー等であってよい。
【００７４】
ＯＳＤ表示命令に対応するコンテンツビューは、実施形態に応じて多様な方式に決定されてよい。
【００７５】
一つのリモコンを用いてディスプレイ装置１００の動作を制御する実施形態によると、第１コンテンツおよび第２コンテンツに対する各々の映像フレームが交互にディスプレイされている状態で、ユーザはリモコンに備えられた入力ボタンを用いてＯＳＤ情報を表示するコンテンツを選択し、ＯＳＤ情報を要求することができる。例えば、ユーザから第１コンテンツに対する選択命令とＯＳＤ情報要求が入力されると、リモコンは第１コンテンツに対する選択命令を含むＯＳＤ表示命令情報を伝送することができる。
【００７６】
この場合、制御部１７０は、ＯＳＤ表示命令情報に含まれた第１コンテンツに対する選択命令に応じて、現在交互にディスプレイされる第１および第２コンテンツに対する映像フレームのうち、第１コンテンツの映像フレームにＯＳＤ情報が同時にディスプレイされるように、信号処理部１２０を制御する。このような制御命令に応じて、信号処理部１２０はビデオ処理部１２２を介して生成される第１コンテンツに対する映像フレームにＯＳＤ情報を追加し、出力部１３０は画面を通じてＯＳＤ情報が追加された第１コンテンツに対する映像フレームおよび第２コンテンツの映像フレームを交互にディスプレイしてよい。
【００７７】
従って、メガネ装置を通じて第１コンテンツを視聴するユーザと別のメガネ装置を通じて第２コンテンツを視聴するユーザのうち、第１コンテンツを視聴するユーザのみがＯＳＤ情報を確認することができる。
【００７８】
または、一つのリモコンによってディスプレイ装置１００の動作を制御する場合、制御部１７０は複数のコンテンツビューのうち、ＯＳＤ表示命令が入力された時点でリモコンで制御可能なコンテンツビューを、ＯＳＤ表示命令に対応するコンテンツビューに決定することができる。即ち、制御部１７０は、リモコンから受信されるコンテンツビュー選択信号に応じて、複数のコンテンツビューのうち、リモコン制御対象を選択的に決定することができる。
【００７９】
仮に、各コンテンツビューと数字キーがマッチするように設計された場合なら、リモコンで１番の数字キーが入力されると、コンテンツビュー１をリモコン制御対象に決定する。制御部１７０は、リモコン制御対象に決定されたコンテンツビューに対する情報を内部レジスタや別途のメモリのように、予め設定された保存領域に保存する。その後、音量調整やチャネル変更等のような多様な制御信号が入力されると、制御部１７０は予め設定された保存領域から現在のリモコン制御対象に決定されたコンテンツビューに対する情報を確認する。上記の例では、コンテンツビュー１がリモコン制御対象に決定された状態であるため、制御部１７０はコンテンツビュー１に限ってオーディオ音量を調整したり、そのコンテンツビューに提供される放送チャネルを変更する動作を行う。なお、そのコンテンツビュー１に音量レベルやチャネル番号等に対するＯＳＤ情報を表示する。その他のＯＳＤ表示命令が入力されるとしても、制御部１７０は現在のリモコン制御対象であるコンテンツビュー１にＯＳＤ情報１０１を表示する。逆に、２番の数字キーが入力されると、コンテンツビュー２をリモコン制御対象に決定し、その後にＯＳＤ表示命令がある場合、コンテンツビュー２にＯＳＤ情報１０１を表示する。
【００８０】
または、各コンテンツビューと方向キーがマッチするように設計されてよい。即ち、デュアルビューモードの場合、リモコンで左方キーが入力されると、コンテンツビュー１をリモコン制御対象に決定し、右方キーが入力されると、コンテンツビュー２をリモコン制御対象に決定してよい。このような状態で、ＯＳＤ情報を表示すべきイベントが発生すると、そのリモコン制御対象に決定されたコンテンツビューに限ってＯＳＤ情報をディスプレイする。
【００８１】
または、リモコンに設けられたキーの何れか一つのキーに対して制御対象切替機能がマッチしているとすると、リモコンではそのキーが選択される度に、コンテンツビュー選択信号を伝送することができる。制御部１７０は、コンテンツビュー選択信号が受信される度に、複数のコンテンツビューのうち、リモコン制御対象を変更する。即ち、コンテンツビュー選択信号の入力回数に応じてコンテンツビューを順次に選択する。仮に、コンテンツビュー１がリモコン制御対象に定められた状態で、制御対象変更命令が受信されると、コンテンツビュー２をリモコン制御対象に変更する。その後、ＯＳＤ表示命令が入力されると、制御部１７０はリモコン制御対象であるコンテンツビューに対してＯＳＤ情報を表示する。
【００８２】
一方、本発明の多様な様態により、ディスプレイ装置は複数の入力装置に対する情報が保存される保存部１８０を更に含んでよい。保存部１８０が更に含まれた場合、制御部１７０はその情報に基づいてＯＳＤ表示命令に対応するコンテンツビューを決定することができる。ここで、複数の入力装置は、リモコン或いはメガネ装置であってよく、保存部１８０に保存された複数の入力装置に対する情報は複数のリモコンに対する識別情報或いは複数のメガネ装置に対する識別情報、各入力装置にマッチするコンテンツビューに対する情報等であってよい。
【００８３】
この場合、制御部１７０は、複数の入力装置のうちの一つからＯＳＤ表示命令が受信されると、保存部１８０に保存された情報を用いて複数のコンテンツのうち、ＯＳＤ表示命令を伝送した入力装置に対応するコンテンツビューにＯＳＤ情報を追加してディスプレイするように、信号処理部１２０および出力部１３０を制御してよい。仮に、複数のリモコンが使用される場合なら、制御部１７０は複数のリモコン入力のうち、第１リモコンからＯＳＤ表示命令が受信されると、保存部１８０に保存された情報を用いて第１リモコンにマッチする第１コンテンツビューにＯＳＤ情報を追加してディスプレイするように、信号処理部１２０および出力部１３０を制御してよい。一方、制御部１７０は、第２リモコンからＯＳＤ表示命令が受信されると、保存部１８０に保存された情報を用いて第２リモコンに対応する第２コンテンツビューにＯＳＤ情報を追加してディスプレイするように、信号処理部１２０および出力部１３０を制御してよい。
【００８４】
別の例として、複数のメガネ装置に対する識別情報とコンテンツビュー情報が保存部１８０に保存されている場合には、第１メガネ装置を通じて第１コンテンツを視聴しているユーザは、自らが着用している第１メガネ装置に備えられた入力ボタンを用いてＯＳＤ情報を要求することができる。
【００８５】
このようなＯＳＤ情報要求に応じて、第１メガネ装置は自らの識別情報を含むＯＳＤ表示命令情報をディスプレイ装置側に伝送する。通信方式により、ＯＳＤ表示命令はインターフェース部１５０または入力部１６０を介して入力されてよい。ＯＳＤ表示命令情報が入力されると、制御部１７０は入力されたＯＳＤ表示命令情報に含まれた識別情報と保存部１８０に保存された識別情報とを比較し、ＯＳＤ表示命令情報を伝送した第１メガネ装置と対応する第１コンテンツに対する映像フレームにＯＳＤ情報を追加してディスプレイするように、信号処理部１２０および出力部１３０を制御する。
【００８６】
一方、第２メガネ装置を通じて第２コンテンツを視聴しているユーザは、自らが着用している第２メガネ装置に備えられた入力ボタンを用いてＯＳＤ情報を要求してよい。このようなＯＳＤ情報要求に応じて、第２メガネ装置は自らの識別情報を含むＯＳＤ表示命令情報をディスプレイ装置側に伝送する。入力部１６０を介してＯＳＤ表示命令情報が入力された制御部１７０は、入力されたＯＳＤ表示命令情報に含まれた識別情報と保存部１８０に保存された識別情報とを比較し、ＯＳＤ表示命令情報を伝送した第２メガネ装置と対応する第２コンテンツに対する映像フレームにＯＳＤ情報を追加してディスプレイするように、信号処理部１２０および出力部１３０を制御する。
【００８７】
このような制御命令に応じて、信号処理部１２０はビデオ処理部１２２を介して生成される第１および第２コンテンツに対する映像フレームのうち、少なくとも一つの映像フレームにＯＳＤ情報を追加することができる。従って、第１および第２コンテンツの映像フレームを交互に出力する出力部１３０は、ＯＳＤ表示命令を伝送したメガネ装置と対応するコンテンツにＯＳＤ情報とともに出力してよい。
【００８８】
上述のような多様な実施形態のように、ＯＳＤ情報は複数のコンテンツビューのうち、一部のコンテンツビューに対してのみ付加されてよい。制御部１７０は、ＯＳＤ処理部の動作を制御して、ＯＳＤ情報表示および削除を制御してよい。
【００８９】
一例として、制御部１７０は、複数のコンテンツビューのうちの一つである第１コンテンツビューにＯＳＤ情報が表示された状態で、複数のコンテンツのうちの別の一つである第２コンテンツビューに対するＯＳＤ表示命令が入力されると、第１コンテンツビューに表示されたＯＳＤ情報を削除し、第２コンテンツビューにＯＳＤ情報を表示するようにＯＳＤ処理部を制御してよい。
【００９０】
別の例として、制御部１７０は、複数のコンテンツビューのうちの一つである第１コンテンツビューにＯＳＤ情報が表示された状態で、複数のコンテンツのうちの別の一つである第２コンテンツビューに対するＯＳＤ表示命令が入力されると、コンテンツビュー１に表示されたＯＳＤ情報は予め設定された時間が経過した後に自動的に削除し、それとは別に、コンテンツビュー２には即座にＯＳＤ情報を表示するように、ＯＳＤ処理部を制御してよい。
【００９１】
以上のような多様な実施形態によると、第１および第２メガネ装置を通じて第１および第２コンテンツを各々視聴するユーザのうち、ＯＳＤ表示命令を要求したユーザのみがＯＳＤ情報を確認することができる。従って、各ユーザは他ユーザの視聴を妨害することなく、自らが視聴しているコンテンツに対する各種ＯＳＤメニューを表示し、コンテンツの処理を制御することもでき、ＯＳＤ情報を確認することもできる。上述のように、ＯＳＤ情報は受信される複数のコンテンツのうち、少なくとも一つのコンテンツの表示属性を変更するための少なくとも一つのＯＳＤメニューを含み、実施形態に応じて、ＯＳＤ情報はコンテンツをディスプレイする画面の大きさおよび輝度の最適化のための画面調整のＯＳＤメニュー、チャネル調整のＯＳＤメニュー等であってよい。このようなＯＳＤメニューを含むＯＳＤ情報がディスプレイされている状態で、ユーザはリモコン或いは自らの着用しているメガネ装置のような入力装置を通じてユーザ設定値を入力してよい。
【００９２】
このようなユーザ設定値が入力装置を通じて入力されると、制御部１７０は入力されたユーザ設定値に応じてＯＳＤ情報が表示されたコンテンツの表示属性を変更するように、信号処理部１２０および出力部１３０を制御してよい。実施形態に応じて、メガネ装置を通じて第１コンテンツを視聴しているユーザは自らの着用しているメガネ装置を通じて第１コンテンツとともにディスプレイされるＯＳＤ情報に含まれた複数のＯＳＤメニューのうち、画面調整のＯＳＤメニューを選択することができる。それにより、メガネ装置は画面調整に対するＯＳＤ表示命令をディスプレイ装置側に伝送し、出力部１３０は制御部１７０の制御命令に応じて、第１コンテンツの映像フレームに画面調整のＯＳＤメニューを追加してディスプレイする。
【００９３】
画面調整のＯＳＤメニューがディスプレイされた状態で、ユーザは自らの着用しているメガネ装置に備えられた入力ボタンを用いて画面の大きさを調整するための調整値を変更すると、メガネ装置はそれによるユーザ設定値をディスプレイ装置側に伝送する。ユーザ設定値が入力されると、制御部１７０は入力されたユーザ設定値に応じてＯＳＤ情報がディスプレイされる第１コンテンツの画面の大きさが調整されるように、信号処理部１２０および出力部１３０を制御する。
【００９４】
それにより、信号処理部１２０は、ビデオ処理部１２２を介して第１コンテンツに対する映像フレームの画面のサイズを入力された設定値に対応するように調整し、出力部１３０は信号処理部１２０を介して調整された第１コンテンツに対する映像フレームをディスプレイすることができる。
【００９５】
一方、図２におけるディスプレイ装置の構成は実現例に応じて多様に変形されてよい。図４は、ディスプレイ装置の別の構成を示すブロック図である。
【００９６】
図４によると、ディスプレイ装置は、受信部１１０と、信号処理部１２０と、出力部１３０と、入力部１６０と、制御部１７０およびＯＳＤ処理部１９０を含む。
【００９７】
受信部１１０は、異なる複数のコンテンツを各々受信する複数の受信部を含む。信号処理部１２０は、複数の受信部から受信されたコンテンツを各々処理して複数のコンテンツビューを構成する。出力部１３０は、信号処理部で構成された各コンテンツビューをディスプレイする。入力部１６０は、ＯＳＤ表示命令を受信するための構成である。受信部１１０、信号処理部１２０と、出力部１３０と、入力部１６０の構成および動作に対しては、上述の図２に対する部分で具体的に説明しているため、繰り返し説明は省略する。
【００９８】
制御部１７０は、ＯＳＤ表示命令が入力されると、複数のコンテンツビューのうち、ＯＳＤ情報を表示するコンテンツビューを決定する。具体的には、上述の多様な例で説明したように、リモコン制御対象に選択されたコンテンツビューや、ＯＳＤ表示命令を伝送したリモコンやメガネ装置に対応するコンテンツビュー等をＯＳＤ情報表示対象に決定してよい。
【００９９】
ＯＳＤ処理部１９０は、決定されたコンテンツビューに表示されるＯＳＤ情報を生成する。図２においては、信号処理部１２０内にＯＳＤ処理部が含まれたものとして説明したが、図４の実施形態においては、ＯＳＤ処理部１９０が信号処理部１２０と別個の構成要素として設けられた場合を示している。
【０１００】
ＯＳＤ処理部１９０は、ＯＳＤ情報を表示する位置を指定し、フォント情報、イメージ情報、サイズ情報等を用いて当該位置に表示するＯＳＤ情報を生成して信号処理部１２０に提供する。信号処理部１２０は提供されたＯＳＤ情報と映像フレームをマルチプレキシングして、出力部１３０に提供する。
【０１０１】
制御部１７０は、ＯＳＤ表示命令に対応するコンテンツビューが決定されると、そのコンテンツビューの処理時点でＯＳＤ情報を信号処理部１２０に提供するように、ＯＳＤ処理部１９０を制御する。ＯＳＤ情報を表示する対象が変更されると、制御部１７０はＯＳＤ処理部１９０が変更されたコンテンツビューの処理時点でＯＳＤ情報を提供するように制御する。それにより、ＯＳＤ情報表示および削除が的確に行われてよい。
【０１０２】
図４においては、ＯＳＤ処理に関連する動作を説明するために必要な構成のみを示しているが、ディスプレイ装置１００がメガネ装置と同期化するためには、同期化信号生成部１４０と、インターフェース部１５０および保存部１８０等のような多様な構成要素が更に含まれてよい。即ち、ディスプレイ装置１００の構成は、実施形態に応じて多様に変更されてよい。なお、図４においては、ＯＳＤ処理部１９０が一つのみ示されているが、その数は実施形態に応じて複数で実現されてよい。
【０１０３】
一方、上述の多様な実施形態では、複数のコンテンツビューのうち、ＯＳＤ表示命令に対応するコンテンツビューのみでＯＳＤ情報を表示するものとして説明したが、本発明の別の実施形態によると、特定ＯＳＤ表示命令に対しては、複数のコンテンツビューの全体にＯＳＤ情報を表示することもできる。この場合、各ＯＳＤ情報は互いに異なるように表示されてよい。制御部１７０は、各コンテンツビューに表示されたＯＳＤ情報を個別に変更するように制御してよい。即ち、ＯＳＤ情報の形、カラー、大きさ、位置、内容等はコンテンツビューに応じて多様に変更されてよい。仮に、ディスプレイ装置１００の動作を設定するためのＯＳＤメニュー表示命令が入力される場合には、制御部１７０は各コンテンツビューにＯＳＤ情報がすべて含まれるように、ＯＳＤ処理部１９０および信号処理部１２０を制御してよい。
【０１０４】
これまで、複数のコンテンツをディスプレイするディスプレイ装置で特定のコンテンツのみにＯＳＤ情報をディスプレイするディスプレイ装置の構成および動作について、詳細に説明してきた。
【０１０５】
以下では、上述のメガネ装置の動作について詳細に説明する。
【０１０６】
図５は、本発明の一実施形態に係るメガネ装置のブロック図である。
【０１０７】
図５のメガネ装置は、複数のコンテンツを映像フレーム単位で交互にディスプレイするディスプレイ装置と連動し、インターフェース部２１０と、制御部２２０と、シャッタグラス駆動部２３０と、入力部２４０と、第１シャッタグラス部２５０および第２シャッタグラス部２６０を含む。
【０１０８】
インターフェース部２１０は、ディスプレイ装置と通信を行う。
【０１０９】
一実施形態によると、インターフェース部２１０は、ブルートゥース通信モジュールで実現されてよく、この場合、インターフェース部２１０はディスプレイ装置とブルートゥース通信を通じて伝送パケット形態の同期化信号を受信することができる。ここで、伝送パケットは、コンテンツのディスプレイタイミングに同期化され、メガネ装置の第１および第２シャッタグラス部２５０、２６０をオン／オフさせるための時間情報を含む。このような伝送パケットに含まれる情報に対しては、上記において詳細に説明しているため、繰り返し説明は省略する。
【０１１０】
更に別の実施形態によると、インターフェース部２１０は、ＩＲ受信モジュールで実現されて特定周波数の赤外線形態の同期化信号を受信することができる。この場合、インターフェース部２１０は、複数のコンテンツのうちの一つのコンテンツのディスプレイタイミングに同期化されるように、メガネ装置の第１シャッタグラス部２５０および第２シャッタグラス部２６０をオンまたはオフさせるための時間情報を含む。
【０１１１】
更に別の実施形態によると、インターフェース部２１０は、ディスプレイ装置１００から各コンテンツに対する映像フレームレート（Ｒａｔｅ）、映像フレーム周期に対する情報を受信することもできる。
【０１１２】
制御部２２０は、メガネ装置の動作全般を制御する。特に、制御部２２０は、インターフェース部２１０で受信された同期化信号をシャッタグラス駆動部２３０に伝達し、シャッタグラス駆動部２３０の動作を制御する。即ち、制御部２２０は、同期化信号に基づいて、第１シャッタグラス部２５０および第２シャッタグラス部２６０を駆動させるための駆動信号が生成されるように、シャッタグラス駆動部２３０を制御する。
【０１１３】
シャッタグラス駆動部２３０は、制御部２２０から受信された同期化信号に基づいて、駆動信号を生成する。特に、シャッタグラス駆動部２３０は同期化信号に基づいて、ディスプレイ装置１００でディスプレイされる複数のコンテンツのうちの一つのコンテンツのディスプレイタイミングに応じて、第１シャッタグラス部２５０および第２シャッタグラス部２６０をオープンさせてよい。
【０１１４】
第１シャッタグラス部２５０および第２シャッタグラス部２６０は、シャッタグラス駆動部２３０から受信された駆動信号に応じてシャッタグラスをオンまたはオフさせる。具体的に、第１シャッタグラス部２５０および第２シャッタグラス部２６０は、複数のコンテンツの何れか一つのコンテンツがディスプレイされる際、シャッタグラスを同時にオープンし、他のコンテンツがディスプレイされる際、シャッタグラスの全てをオフさせる。それにより、メガネ装置２００を着用しているユーザは、一つのコンテンツを視聴することができる。
【０１１５】
更に、ユーザは自らの着用しているメガネ装置を通じて一つのコンテンツを視聴する状態で、ＯＳＤ情報を要求してよい。この場合、ディスプレイ装置は、当該コンテンツにＯＳＤ情報を追加してディスプレイしてよい。従って、ユーザは自らの着用しているメガネ装置の第１シャッタグラス部２５０および第２シャッタグラス部２６０が同時にオープンされる時点に対応してディスプレイ装置からディスプレイされるコンテンツと当該コンテンツに追加されたＯＳＤ情報を確認することができる。
【０１１６】
一方、３Ｄコンテンツの場合、第１シャッタグラス部２５０および第２シャッタグラス部２６０は、各々のグラスを交互に開閉することができる。即ち、駆動信号に応じて一つの３Ｄコンテンツを構成する左眼映像がディスプレイされるタイミングで第１シャッタグラス部２５０を開放し、右眼映像がディスプレイされるタイミングで第２シャッタグラス部２６０を開放してよい。
【０１１７】
入力部２４０は、ＯＳＤ情報を要求するためのＯＳＤ情報要求命令を受信する。そのために、入力部２４０は、ＯＳＤ情報要求命令を受信するための入力ボタンを含んでよく、このような入力ボタンはタッチセンサまたは操作ボタン等で実現されてよい。このようなＯＳＤ情報要求命令が入力されると、インターフェース部２１０は制御部２２０の制御命令に従って、入力されたＯＳＤ情報要求命令に対するＯＳＤ表示命令をディスプレイ装置側に伝送する。従って、ユーザは自らの着用しているメガネ装置を通じて当該コンテンツを視聴しながら、ＯＳＤ情報を確認することができる。
【０１１８】
このようなＯＳＤ情報がディスプレイされた状態で、入力部２４０はユーザからＯＳＤ情報に含まれた複数のＯＳＤメニューのうち、少なくとも一つのＯＳＤメニューに対する選択命令を受信してよく、選択されたＯＳＤメニューを通じてコンテンツ属性を変更するためのユーザ設定値を受信してよい。
【０１１９】
ここで、ＯＳＤメニューコンテンツをディスプレイする画面の大きさおよび輝度の最適化のための画面調整のＯＳＤメニュー、チャネル調整のＯＳＤメニュー等であってよく、入力部２４０は、このような複数のＯＳＤメニューのうち、ユーザから選択されたＯＳＤメニューに対するユーザ設定値を受信してよい。このようなユーザ設定値が入力部２４０を介して入力されると、インターフェース部２１０は制御部２２０の制御命令に応じてユーザから入力されたユーザ設定値に対する情報をディスプレイする装置側に伝送してよい。
【０１２０】
このように、ユーザは自らの着用しているメガネ装置を通じて一つのコンテンツを視聴する状態でＯＳＤ情報を確認することができ、そのＯＳＤ情報に含まれたＯＳＤメニューのうちの一つのＯＳＤメニューを選択して当該コンテンツの表示属性を変更することができる。なお、ユーザは自らの着用しているメガネ装置を通じて自らが設定した表示属性に調整されたコンテンツを視聴することができる。
【０１２１】
これまで、本発明に係るディスプレイ装置およびメガネ装置の各構成に対する動作に対して詳細に説明する。以下では、複数のコンテンツをディスプレイするディスプレイ総理で特定コンテンツにＯＳＤ情報をディスプレイする方法について詳細に説明する。
【０１２２】
図６は、本発明の一実施形態に係るディスプレイ装置で複数のコンテンツおよびＯＳＤ情報をディスプレイする方法のフローチャートである。
【０１２３】
図６に示すように、ディスプレイ装置は異なる複数のコンテンツの各々を受信する（Ｓ５１０）。具体的に、ディスプレイ装置は、複数のチューナを通じて外部からコンテンツを受信するか、或いは、ＳＣＡＲＴ、ＡＶ、ＨＤＭＩ、ＣＯＭＰＯＮＥＮＴ、ＵＳＢインターフェースのうち、少なくとも何れか一つのインターフェースを通じて外部機器からコンテンツを受信することができる。
【０１２４】
このように、異なる複数のコンテンツが受信されると、ディスプレイ装置は受信された複数のコンテンツの各々を処理してコンテンツ別の映像フレームを構成する（Ｓ５２０）。このように、ディスプレイ装置で複数のコンテンツの各々に対する映像フレームを構成する動作は、図３を通じて詳細に説明したため、以下ではコンテンツに対する映像フレームを構成する方法については省略する。
【０１２５】
このような複数のコンテンツ別の映像フレームが構成されると、ディスプレイ装置は構成された各々のコンテンツの映像フレームを組み合わせてディスプレイする（Ｓ５３０）。具体的に、ディスプレイ装置は、複数のコンテンツ別の映像フレームの各々を交互にディスプレイする。具体的に、ディスプレイ装置は、各々のコンテンツに対する映像フレームが少なくとも一つずつ交互に配置されるようにマルチプレキシングを行う。その後、ディスプレイ装置は、マルチプレキシングされたデータを画面のサイズに合わせてアップスケーリングしてマルチコンテンツフレームを構成した後、構成されたマルチコンテンツフレーム、即ち、複数のコンテンツビューをディスプレイする。
【０１２６】
ここで、マルチコンテンツフレームとは、複数のユーザが複数のコンテンツを各々を視聴することができるように構成されたフレームデータのことを意味する。このようなマルチコンテンツフレームを構成する方法は、ディスプレイ装置の駆動方式に応じて多様に実現されてよく、このような駆動方式に対しては、上述において説明しているため、詳細な説明は省略する。
【０１２７】
一方、ディスプレイ装置は、複数のコンテンツの各々に対する映像フレームがディスプレイされると、各コンテンツのディスプレイタイミングに応じて、各コンテンツに対応するメガネ装置を同期化させるために同期化信号を生成する（Ｓ５４０）。その後、ディスプレイ装置は生成された同期化信号をメガネ装置に伝送する（Ｓ５５０）。このように、複数のコンテンツに対応するメガネ装置を同期化させるために生成する同期化信号は多様な形態で生成されて、当該メガネ装置に伝送されてよい。
【０１２８】
一実施形態により、ディスプレイ装置は相違なる周波数を有する複数のＩＲ（Ｉｎｆｒａ  Ｒｅｄ）同期化信号またはＲＦ（Ｒａｄｉｏ  Ｆｒｅｑｕｅｎｃｙ）同期化信号を生成して、各メガネ装置の伝送することができる。
【０１２９】
更に別の実施形態により、ディスプレイ装置は、ブルートゥース通信規格によって同期化信号を伝送パケット形態で生成してメガネ装置に伝送することができる。そのために、ディスプレイ装置はメガネ装置とペアリングを行い、ペアリングが完了すると、ディスプレイ装置は各メガネ装置に対するペアリング情報、例えば、メガネ装置の識別情報を登録保存することができる。従って、ディスプレイ装置は、各コンテンツのディスプレイタイミングとメガネ装置に対する情報をマッチさせ、ペアリングを通じて予め保存されたメガネ装置の識別情報に基づいて当該メガネ装置に伝送パケットを伝送することができる。
【０１３０】
しかし、本発明は、それに限定されず、ディスプレイ装置は別の方式で同期化信号を生成してよい。
【０１３１】
一方、メガネ装置は伝送パケットが受信されると、受信された伝送パケットからディスプレイタイミングを確認し、その確認されたディスプレイタイミングに応じて、左眼シャッタグラスおよび右眼シャッタグラスをオンまたはオフさせてよい。
【０１３２】
従って、メガネ装置を着用しているユーザは、ディスプレイ装置で交互にディスプレイされる複数のコンテンツのうち、左眼および右眼シャッタグラスがオンになる時点でディスプレイされるコンテンツのみを視聴することができる。
【０１３３】
このように、同期化信号を生成してメガネ装置に伝送するディスプレイ装置は、入力装置からＯＳＤ表示命令が入力されると、複数のコンテンツのうち、ＯＳＤ表示命令に対応する一つのコンテンツにＯＳＤ情報を追加してディスプレイする（Ｓ５５０、Ｓ５６０）。具体的に、ユーザは自らの着用しているメガネ装置を通じてディスプレイ装置で交互にディスプレイされる複数のコンテンツのうちの一つのコンテンツを視聴することができる。このようなコンテンツを視聴している途中に、ユーザは入力装置を用いてＯＳＤ情報を要求することができる。ここで、入力装置はリモコンおよびメガネ装置のうち、少なくとも一つであってよい。そして、ＯＳＤ情報は複数のコンテンツのうち、少なくとも一つのコンテンツの表示属性を変更するための少なくとも一つのＯＳＤメニューを含むことが望ましい。実施形態により、ＯＳＤ情報はコンテンツをディスプレイする画面の大きさおよび輝度の最適化のための画面調整のＯＳＤメニューやチャネル調整ＯＳＤメニュー等であってよい。
【０１３４】
従って、このようなＯＳＤ情報を要求するＯＳＤ表示命令が入力されると、ディスプレイ装置は複数のコンテンツのうち、入力されたＯＳＤ表示命令に対応するコンテンツにＯＳＤ情報が同時にディスプレイされてよい。即ち、ディスプレイ装置は、入力装置からＯＳＤ表示命令が入力されると、入力されたＯＳＤ表示命令に基づいて複数のコンテンツのうち、少なくとも一つのコンテンツにＯＳＤ情報を表示してよい。
【０１３５】
実施形態により、第１コンテンツおよび第２コンテンツに対する各々の映像フレームが交互にディスプレイされている状態で、ユーザはリモコンに備えられた入力ボタンを用いてＯＳＤ情報を表示するコンテンツを選択し、ＯＳＤ情報を要求することができる。例えば、ユーザから第１コンテンツに対する選択命令とＯＳＤ情報要求が入力されると、リモコンは第１コンテンツに対する選択命令を含むＯＳＤ表示命令を伝送してよい。
【０１３６】
この場合、ディスプレイ装置は、ＯＳＤ表示命令に含まれた第１コンテンツに対する選択命令に従って、現在交互にディスプレイされる第１および第２コンテンツに対する映像フレームのうち、第１コンテンツの映像フレームにＯＳＤ情報が同時にディスプレイされるように処理する。その後、ディスプレイ装置は、ＯＳＤ情報が追加された第１コンテンツに対する映像フレームおよび第２コンテンツに対する映像フレームを交互にディスプレイしてよい。従って、メガネ装置を通じて第１コンテンツを視聴するユーザと別のメガネ装置を通じて第２コンテンツを視聴するユーザのうち、第１コンテンツを視聴するユーザのみがＯＳＤ情報を確認してよい。
【０１３７】
一方、本発明の更なる様態により、ディスプレイ装置は複数の入力装置に対する情報を保存する。ここで、複数の入力装置はリモコン或いはメガネ装置であってよい。従って、ディスプレイ装置に保存される入力装置の情報は複数のリモコンに対する識別情報或いは複数のメガネ装置に対する識別情報であってよい。
【０１３８】
この場合、ディスプレイ装置は複数の入力装置のうちの一つからＯＳＤ表示命令が受信されると、予め保存された複数の入力装置の識別情報を用いて複数のコンテンツのうち、ＯＳＤ表示命令を伝送した入力装置に対応するコンテンツにＯＳＤ情報を追加してディスプレイしてよい。
【０１３９】
即ち、ディスプレイ装置は、複数の入力装置のうちの第１入力装置からＯＳＤ表示命令が受信されると、予め設定された情報を用いて複数のコンテンツのうち、第１入力装置と対応する第１コンテンツにＯＳＤ情報を追加してディスプレイしてよい。一方、ディスプレイ装置は、複数の入力装置のうちの第２入力装置からＯＳＤ表示命令が受信されると、予め設定された情報を用いて複数のコンテンツのうち、第２入力装置と対応する第２コンテンツにＯＳＤ情報を追加してディスプレイしてよい。
【０１４０】
実施形態により、ディスプレイ装置は複数のメガネ装置に対する識別情報を保存しており、第１および第２コンテンツに対する映像フレームを交互にディスプレイしてよい。
【０１４１】
仮に、第１メガネ装置を通じて第１コンテンツを視聴しているユーザは、自らが着用している第１メガネ装置に備えられた入力ボタンを用いてＯＳＤ情報を要求してよい。
【０１４２】
このようなＯＳＤ情報要求により、第１メガネ装置は自らの識別情報を含むＯＳＤ表示命令情報をディスプレイ装置側に伝送する。ＯＳＤ表示命令情報を受信するディスプレイ装置は、入力されたＯＳＤ表示命令情報に含まれた識別情報と予め保存された識別情報とを比較し、ＯＳＤ表示命令情報を伝送した第１メガネ装置と対応する第１コンテンツに対する映像フレームにＯＳＤ情報を追加する。その後、ディスプレイ装置は、ＯＳＤ情報が追加された第１コンテンツの映像フレームとＯＳＤ情報が追加されていない第２コンテンツの映像フレームとを交互にディスプレイしてよい。
【０１４３】
一方、第２メガネ装置を通じて第２コンテンツを視聴しているユーザは、自らが着用している第２メガネ装置に備えられた入力ボタンを用いてＯＳＤ情報を要求してよい。
【０１４４】
このようなＯＳＤ情報要求により、第２メガネ装置は自らの識別情報を含むＯＳＤ表示命令情報をディスプレイ装置側に伝送する。ＯＳＤ表示命令情報を受信するディスプレイ装置は、入力されたＯＳＤ表示命令情報に含まれた識別情報と予め保存された識別情報とを比較し、ＯＳＤ表示命令情報を伝送した第２メガネ装置と対応する第２コンテンツに対する映像フレームにＯＳＤ情報を追加する。その後、ディスプレイ装置は、ＯＳＤ情報が追加されていない第１コンテンツの映像フレームとＯＳＤ情報が追加されている第２コンテンツの映像フレームとを交互にディスプレイしてよい。
【０１４５】
従って、第１および第２メガネ装置を通じて第１および第２コンテンツを各々視聴するユーザのうち、ＯＳＤ表示命令を要求したユーザのみがＯＳＤ情報を確認することができる。
【０１４６】
一方、上述のように、ＯＳＤ情報は受信される複数のコンテンツのうち、少なくとも一つのコンテンツの表示属性を変更するための少なくとも一つのＯＳＤメニューを含み、実施形態に応じて、ＯＳＤ情報はコンテンツをディスプレイする画面の大きさおよび輝度の最適化のための画面調整のＯＳＤメニュー、チャネル調整のＯＳＤメニュー等であってよい。このようなＯＳＤメニューを含むＯＳＤ情報がディスプレイされている状態で、ユーザはリモコン或いは自らの着用しているメガネ装置のような入力装置を通じてユーザ設定値を入力してよい。
【０１４７】
このようユーザ設定値が入力装置から入力されると、ディスプレイ装置は入力されたユーザ設定値に応じてＯＳＤ情報が表示されたコンテンツの表示属性を変更してよい。実施形態に応じて、メガネ装置を通じて第１コンテンツを視聴しているユーザは自らの着用しているメガネ装置を通じて第１コンテンツとともにディスプレイされるＯＳＤ情報に含まれた複数のＯＳＤメニューのうち、画面調整のＯＳＤメニューを選択することができる。それにより、メガネ装置は画面調整に対するＯＳＤ表示命令をディスプレイ装置側に伝送し、ディスプレイ装置は第１コンテンツの映像フレームに画面調整のＯＳＤメニューを追加してディスプレイする。
【０１４８】
その後、ユーザは自らの着用しているメガネ装置を通じて画面調整のＯＳＤメニューが確認されると、自らの着用しているメガネ装置に備えられた入力ボタンを用いて画面の大きさを調整するための設定値を変更してよい。このようなユーザ設定値が入力されると、メガネ装置は入力されたユーザ設定値をディスプレイ装置側に伝送する。メガネ装置からユーザ設定値が受信するディスプレイ装置は入力されたユーザ設定値に応じて、ＯＳＤ情報がディスプレイされる第１コンテンツの画面の大きさを調整してディスプレイする。従って、ユーザは自らの要求した画面の大きさで第１コンテンツを視聴することができる。
【０１４９】
一方、上述のマルチビューモードの特徴は、パッシブタイプのメガネを使用するディスプレイシステムにも適用されてよい。仮に、デュアルビューモードで、異なる偏光方向を有する第１ビューのイメージと第２ビューのイメージとが同一のフレームにディスプレイされてよい。それは、偏光層を備えたディスプレイパネルによって実現されてよい。偏光層を備えたディスプレイパネルは偏光メガネとともに作用し、複数の視聴者が異なるビデオコンテンツを同時に視聴できるようにする。それにより、ディスプレイシステムは、両眼が同様に第１偏光方向を有する一対のレンズを備えた第１パッシブメガネを着用している第１着用者は、ディスプレイパネルにディスプレイされる第１ビューのイメージのみを見るようにする。なお、両眼が同様に第２偏光方向を有する一対のレンズを備えた第２パッシブメガネを着用している第２着用者は、ディスプレイパネルにディスプレイされる第２ビューのイメージのみを見るようにする。第１および第２偏光方向は、互いに異なる。
【０１５０】
その他にも、多様な技術が、複数のビューを同一のフレームにディスプレイできるように採用されてよい。例えば、イメージフレームの偶数番目ラインは第１ビューに該当し、奇数番目ラインは第２ビューに該当するように、第１ビューのイメージと第２ビューのイメージとが同一のフレーム上でピクセルライン単位でインタレーシングされてよい。
【０１５１】
一方、一実施形態によると、ＯＳＤ表示命令がディスプレイシステムに受信されると、制御部は第１および第２ビューのうち、ＯＳＤをディスプレイするビューを判断し、判断されたビューにＯＳＤ情報を表示する一方、他のビューではＯＳＤ情報が表示されないようにする。具体的には、ＯＳＤ表示命令に対する応答として、第１および第２ビューのうち、ＯＳＤ情報が表示されるビューと、ＯＳＤ情報が表示されていないビューはライン単位で交互にディスプレイされてよい。それにより、第１パッシブメガネを着用している人は第１ビューに対応するピクセルラインのみを見ることができ、第２パッシブメガネを着用している人は第２ビューに対応するピクセルラインのみを見ることができる。
【０１５２】
一方、上述の本発明の多様な実施形態に係る方法を行うためのプログラムは多様な類型の記録媒体に保存されて使用されてよい。
【０１５３】
具体的には、上述の電源提供方法を行なうためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読取可能な多様な記録媒体に保存されていてよい。
【０１５４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１５５】
１１０  受信部
１１０−１  受信部
１１０−２  受信部
１１０−３  受信部
１１０−ｎ  受信部
１２０  信号処理部
１２１  デマルチプレクサ
１２２  ビデオ処理部
１２３  フレームレート変換部
１２４  オーディオ処理部
１２５  付加データ処理部
１３０  出力部
１４０  同期化信号生成部
１５０  インターフェース部
１６０  入力部
１７０  制御部
１８０  保存部
１９０  ＯＳＤ処理部
２１０  インターフェース部
２２０  制御部
２３０  シャッタグラス駆動部
２４０  入力部
２５０  第１シャッタグラス
２６０  第２シャッタグラス
【図１】
2013140355.tif 000003
【図２】
2013140355.tif 000004
【図３】
2013140355.tif 000005
【図４】
2013140355.tif 000006
【図５】
2013140355.tif 000007
【図６】
2013140355.tif 000008